(57)【要約】【課題】医療用縫合針の元端面に形成された止まり穴に対し縫合糸を挿入してかしめる際に該縫合糸に剪断力が作用することのないようにする。【解決手段】かしめ装置Ａは、医療用縫合針の元端面に形成された止まり穴に挿入された医療用縫合糸を元端部をかしめて結合させるかしめ装置であって、固定型１と前記固定型１に対し離隔又は接近する移動型２とからなるかしめ型Ｂと、かしめ型Ｂに保持されたアイレス針の元端面に形成された止まり穴の縁と接近して配置され該止まり穴に縫合糸を案内する案内面を有する糸ガイドＣと、を有し、かしめ型Ｂによってアイレス針の元端部をかしめる際に、かしめ動作に伴って、糸ガイドＣが、アイレス針に形成された止まり穴の外にある縫合糸に外力が作用することのないように配置されて構成されるか、又は外力が作用することのない方向に移動するように構成される。
2008105374.tif 000002
【特許請求の範囲】
【請求項１】
医療用縫合針の元端面に形成された止まり穴に挿入された医療用縫合糸を、前記元端部をかしめて前記医療用縫合針に結合させるかしめ装置であって、
固定型と前記固定型に対し離隔又は接近する移動型とからなるかしめ型と、
前記かしめ型に保持された前記医療用縫合針の止まり穴の縁と接近して、前記止まり穴に前記医療用縫合糸を案内する案内面を有する糸ガイドと、
を有し、
前記かしめ型によって前記医療用縫合針の元端部をかしめる際に、前記かしめ型によるかしめ動作に伴って、前記止まり穴の外にある前記医療用縫合糸に前記糸ガイドによる外力が作用することのないように、前記糸ガイドが配置されて構成されていることを特徴とするかしめ装置。
【請求項２】
医療用縫合針の元端面に形成された止まり穴に挿入された医療用縫合糸を、前記元端部をかしめて前記医療用縫合針に結合させるかしめ装置であって、
固定型と前記固定型に対し離隔又は接近する移動型とからなるかしめ型と、
前記かしめ型に保持された前記医療用縫合針の止まり穴の縁と接近して、前記止まり穴に前記医療用縫合糸を案内する案内面を有する糸ガイドと、
を有し、
前記かしめ型によって前記医療用縫合針の元端部をかしめる際に、前記かしめ型によるかしめ動作に伴って、前記止まり穴の外にある前記医療用縫合糸に前記糸ガイドによる外力が作用することのない方向に、前記糸ガイドが移動するように構成されていることを特徴とするかしめ装置。
【請求項３】
前記糸ガイドは、案内面となる第１平面、第２平面にてＬ字型に形成されており、前記移動型のかしめ動作と同期して前記移動型と同じ方向に移動し得ることを特徴とする請求項２に記載のかしめ装置。
【請求項４】
前記第１平面及び前記第２平面は、前記移動型の移動方向に対し交叉するように配置されており、かしめ動作に伴う前記糸ガイドの移動量は、前記移動型の移動量の１／２であることを特徴とする請求項３に記載のかしめ装置。
【請求項５】
前記第１平面は、前記移動型の移動方向に対し直交方向に配置され、前記第２平面は、前記移動型の移動方向に対し平行に配置されており、かしめ動作に伴う前記糸ガイドの移動量は、前記移動型の移動量の１／２以上であることを特徴とする請求項３に記載のかしめ装置。
【請求項６】
前記第１平面と前記第２平面は、前記移動型の移動方向を中心として線対称であることを特徴とする請求項３に記載のかしめ装置。
【請求項７】
前記糸ガイドは、かしめ動作と同期して前記移動型と同じ方向に逃げるように回動するし得ることを特徴とする請求項２に記載のかしめ装置。
【請求項８】
前記糸ガイドは、案内面となる第１平面、第２平面にてＬ字型に形成されており、前記第１平面が前記移動型の移動方向と平行な方向に配置され、前記第２平面が前記移動型の移動方向に対し垂直方向に且つ前記移動型のかしめ時の移動方向の前記第１平面より上流側に配置されていることを特徴とする請求項１に記載のかしめ装置。
【請求項９】
前記糸ガイドは、案内面となる第１平面、第２平面にてＬ字型に形成されており、
前記第１平面と前記第２平面は、前記移動型の移動方向を中心として線対称であり、
前記第１平面と前記第２平面の交点が、前記移動型のかしめ時の移動方向の前記第１平面と前記第２平面より上流側に配置されていることを特徴とする請求項１に記載のかしめ装置。
【発明の詳細な説明】
【技術分野】
【０００１】
本発明は医療用縫合針の元端面に形成した止まり穴に縫合糸を結合させる際に用いるかしめ装置に関し、特に、医療用縫合針の元端部に於ける止まり穴に対応する部位をかしめる際に縫合糸に剪断力を作用させることがないかしめ装置に関するものである。
【背景技術】
【０００２】
医療用縫合針には一方側の端部に鋭利な針先が形成され他方の端面（元端面）に止まり穴を形成したアイレス針がある。この医療用縫合針では、元端面に形成された止まり穴に縫合糸の端部を挿入して止まり穴の深さに対応した部分（元端部）をかしめることで、縫合糸を結合している。医療用縫合針は規格の異なる複数種のものが提供されているが、これらの規格に対応した太みは約０．１４ｍｍ〜約１．４０ｍｍの範囲に設定されているものが多い。このような医療用縫合針の元端面に形成される止まり穴の径は太みの約１／２程度であるのが一般的である。【０００３】
医療用縫合針の元端部をかしめるかしめ装置は、モーターに代表される駆動装置に駆動されて互いに離隔、接近し得るように構成された一対のかしめ型を有して構成されている。そして、離隔したかしめ型の間に止まり穴に縫合糸の先端を挿入した元端部を供給し、この状態でかしめ型を接近させることで、元端部に於ける止まり穴に対応した部分をかしめることが可能である。【０００４】
医療用縫合針の元端面に形成された止まり穴に縫合糸の先端を挿入する作業は繊細な作業に属する。このため、かしめ装置を構成する一対のかしめ型に対応させて糸ガイドを設け、かしめ型によって医療用縫合針を保持した状態で、この医療用縫合針の止まり穴に接近した糸ガイドによって縫合糸を案内して挿入し得るようにしたかしめ装置が提供されている（例えば特許文献１参照）。【０００５】
特許文献１のかしめ装置は、フレームに固定された下型と該下型に離接する上型を有し、第１平面を有する第１ガイド部材と、第２平面を有する第２ガイド部材とによって構成された糸ガイドを、下型と上型とによって保持したアイレス針の止まり穴に対向させて配置して構成されている。特に、ガイド部材は側面を下型の側面と接触させた状態で、ガイド面となる第１平面及び第２平面が上型と下型に挟まれて保持された医療用縫合針の元端面に形成された止まり穴の縁の位置と対応するように調整されている。【０００６】
従って、縫合糸を結合すべき医療用縫合針を下型と上型との間に供給すると共に、元端面をガイド部材の側面に当接させることで、下型と上型による元端面からのかしめ位置を安定させることが可能である。そして、下型と上型とによって保持された医療用縫合針に対し、糸ガイドの第１平面或いは第２平面に沿わせて縫合糸を滑らせることで該縫合糸を確実に止まり穴に案内することが可能である。【０００７】
【特許文献１】特許第３１０３１９２号公報
【発明の開示】
【発明が解決しようとする課題】
【０００８】
図５に示すように、上記特許文献１の技術では、同一の太みを持った医療用縫合針５１に対するかしめを行っている間、下型５２と糸ガイド５４との位置関係は変化することなく、上型５３のみが下型５２と糸ガイド５４に対して位置を変化させるため、上型５３を下型５２に接近させてかしめたとき、止まり穴５１ａはかしめ代分縮小し、この縮小に伴って止まり穴５１ａの軸心が下型５２の方向に変位する。このため、縫合糸５５は一方側が糸ガイド５３の第１平面及び第２平面からなるガイド面５４ａに支持され、他方側が縮小した止まり穴５１ａに挿入されることで、屈曲（同図（ｂ）参照）することとなり、糸ガイド５４によって傷付くことがあるという問題がある。この問題を、特許文献１の技術では、糸ガイド５４の下型５２に対向する面に斜面を設けることで解決している。【０００９】
上記かしめ装置では、下型と上型とによって保持された医療用縫合針の止まり穴の縁と糸ガイドとの位置関係を調整することは難しい作業に属する。即ち、斜面の先端部を止まり穴の縁と同じレベルとなるように調整すると、元端部をかしめる際に止まり穴が縮小して該止まり穴の軸心が下型方向に変位することとなり、上記問題と同じ問題が生じることとなる。また糸ガイドの平面を止まり穴の縁と同じレベルになるように調整すると、腰の弱い縫合糸では端部が斜面に沿って移動し、元端面に衝突して円滑な挿入が阻害されるという問題が生じる。【００１０】
特に、糸ガイドに斜面を形成することなく、各平面を止まり穴の縁に対応させると、該止まり穴に対する縫合糸の案内を円滑に行うことができるが、縮小された止まり穴の縁と糸ガイドの平面との段差が大きくなって大きい剪断力が作用することになるという問題が生じる。【００１１】
また特許文献１の技術のように上型と下型がそれぞれ移動型と固定型によって構成されるものではなく、二つの移動型が医療用縫合針の軸心に対して同寸法移動してかしめを実行するようなかしめ装置がある。このかしめ装置を用いれば、糸ガイドによって縫合糸に剪断力が作用するという問題は生じない。しかし、このタイプのかしめ装置ではメンテナンス作業や、かしめるべき医療用縫合心の太みを変えるような場合の調整が極めて煩わしくなるという問題がある。【００１２】
本発明の目的は、止まり穴に対する縫合糸の挿入を円滑に行うことができ、且つ縫合糸に剪断力が作用することのないかしめ装置を提供することにある。
【課題を解決するための手段】
【００１３】
上記課題を解決するために本発明に係るかしめ装置は、医療用縫合針の元端面に形成された止まり穴に挿入された医療用縫合糸を元端部をかしめて結合させるかしめ装置であって、固定型と前記固定型に対し離隔又は接近する移動型とからなるかしめ型と、前記かしめ型に保持された医療用縫合針の元端面に形成された止まり穴の縁と接近して該止まり穴に縫合糸を案内する案内面を有する糸ガイドと、を有し、前記かしめ型によって医療用縫合針の元端部をかしめる際に、かしめ型によるかしめ動作に伴って、前記糸ガイドが、医療用縫合針に形成された止まり穴の外にある縫合糸に前記糸ガイドによる外力が作用することのないように配置されて構成されるか、又は医療用縫合針に形成された止まり穴の外にある縫合糸に前記糸ガイドによる外力が作用することのない方向に移動するように構成されているものである。
【発明の効果】
【００１４】
本発明に係るかしめ装置では、糸ガイドがかしめ型に保持された医療用縫合針の元端面に形成された止まり穴の縁に接近する案内面を有するので、この案内面に沿って縫合糸を移動させることで、容易に止まり穴に挿入することができる。【００１５】
特に、医療用縫合針の元端部をかしめる際に、かしめ動作に伴って、糸ガイドが、縫合糸に対して外力を作用させることがないように配置されるか、又は縫合糸に外力が作用することのない方向に移動するように構成したので、縫合糸に剪断力が作用することがなく、該縫合糸に傷が付くことがない。
【図面の簡単な説明】
【００１６】
【図１】かしめ装置の側面図である。
【図２】かしめ型と糸ガイドの関係を説明する側面図である。
【図３】かしめ型と糸ガイドとの関係を説明する正面図である。
【図４】他の例に係るかしめ型と糸ガイドの関係を説明する斜視図である。
【図５】課題を説明する図である。
【符号の説明】
【００１７】
Ａ                    かしめ装置
Ｂ                    かしめ型
Ｃ                    糸ガイド
１                    固定型
２                    移動型
１０                  Ｘ−Ｙテーブル
１１                  フレーム
１２                  軸
１３                  レバー
１４                  バネ
１５、１６            規制部材
１８                  設定部材
１８ａ                バネ
１９                  駆動部材
１９ａ                偏心カラー
１９ｂ                連結バー
２１                  ブロック
２１ａ                第１平面
２１ｂ                第２平面
２１ｃ                交点
２１ｄ                当接面
２２                  クッション部材
２３                  押圧部材
【発明を実施するための最良の形態】
【００１８】
以下、本発明に係るかしめ装置の最も好ましい実施の形態について説明する。本発明のかしめ装置は、一方側の端部に生体組織を刺通する針先が形成され、他方側の端部に於ける元端面に止まり穴が形成された医療用縫合針（以下「アイレス針」という）の止まり穴に縫合糸を挿入し、該アイレス針の元端部に於ける止まり穴に対応する部分をかしめることで、縫合糸をアイレス針に結合させるものである。【００１９】
特に、一対のかしめ型にアイレス針の元端部を挟んで保持した状態で、該元端部をかしめるかしめ動作に伴って、アイレス針に形成した止まり穴の外部に露出している縫合糸に外力、特に剪断力が作用することがないように、糸ガイドを配置するか、或いは糸ガイドを移動させるようにしたものである。
【実施例１】
【００２０】
先ず、本実施例に係るかしめ装置の全体構成について図により簡単に説明する。図１はかしめ装置の側面図である。本実施例に係るかしめ装置Ａは、基本的な構造は前述した特許文献１に記載されたかしめ装置と同様に構成されているため、アイレス針をかしめる機構については図１を利用して簡単に説明する。【００２１】
図１に示すかしめ装置Ａは、固定型１と、該固定型１に対して離隔、接近する移動型２とからなるかしめ型Ｂを有している。固定型１は、移動型２に対する位置を調整するＸ−Ｙテーブル１０を介してかしめ装置Ａのフレーム１１に取り付けられており、移動型２は図示しない軸受に対し回動可能に支持された軸１２に固定されたレバー１３に取り付けられている。【００２２】
レバー１３は図に示すように略Ｌ字型に形成されており、一方側の端部が軸１２に固定され、他方側の端部に移動型２が取り付けられている。このため、レバー１３は常に固定型１側に接近するような力が作用することとなり、この力に対しバネ１４を調整して移動型２を固定型１から離隔する方向の力を作用させることで、移動型２の固定型１に対する力を調節し、これにより、かしめ型Ｂによってアイレス針を保持し得るように構成されている。【００２３】
またレバー１３の軸１２を中心とする回動範囲は規制部材１５、１６によって規定されている。アイレス針に対するかしめ代は該アイレス針の太みに対応して予め設定されており、かしめるべきアイレス針の太みが変化する都度、規制部材１５、１６を調整することで、最適なかしめ代を実現し得るように構成されている。【００２４】
レバー１３にはアイレス針をかしめる際のかしめ力を設定する設定部材１８が設けられており、この設定部材１８を介して駆動部材１９が接続されている。そして駆動部材１９を駆動したとき、レバー１３に取り付けた移動型２を予め設定された力を作用させて固定型１に圧接させてアイレス針をかしめるように構成されている。【００２５】
即ち、設定部材１８はバネ１８ａを有しており、該バネ１８ａの張力を適宜調整し得るように構成されている。また駆動部材１９は、モーターによって回転駆動される偏心カラー１９ａと、一端が偏心カラー１９ａに他端が設定部材１８に接続された連結バー１９ｂと、を有して構成されており、モーターの回転に伴って連結バー１９ｂをかしめ型Ｂ方向に引っ張ることが可能なように構成されている。【００２６】
またかしめ型Ｂに接近して糸ガイドＣが配置されている。この糸ガイドＣは、かしめ型Ｂを構成する固定型１と移動型２に保持されたアイレス針に縫合糸を挿入する際に、該縫合糸の移動を案内する機能を有するものである。【００２７】
上記の如く構成されたかしめ装置Ａでは、かしめ型Ｂによって元端部を挟んでおくことでアイレス針を保持し、この状態で糸ガイドＣに沿って縫合糸を移動させてアイレス針の元端面に形成した止まり穴に挿入し、その後、モーターを駆動して連結バー１９ｂ、設定部材１８を介してレバー１３に移動型２を固定型１に圧接させる方向の力を作用させることで、アイレス針の元端部をかしめて縫合糸をアイレス針に結合させることが可能である。【００２８】
上記の如くしてアイレス針をかしめる際に、アイレス針を保持する際の保持力はバネ１４を調整することで所望の大きさに調整することが可能であり、アイレス針をかしめる際のかしめ力は設定部材１８のバネ１８ａを調整することで所望の大きさに調整することが可能である。従って、これらを適宜調整することで、アイレス針を太みに対応した最適なかしめ力でかしめることが可能となる。
【実施例２】
【００２９】
次に、かしめ型Ｂと糸ガイドＣとの関係について具体的に説明する。図２はかしめ型と糸ガイドの関係を説明する側面図である。図３はかしめ型と糸ガイドとの関係を説明する正面図である。【００３０】
糸ガイドＣはＬ字型に形成されたブロック２１からなり、水平方向に配置された案内面となる第１平面２１ａと、垂直方向に配置された案内面となる第２平面２１ｂとを有しており、両平面２１ａ、２１ｂの交点２１ｃが略直角に形成されている。交点２１ｃを厳密に直角に形成するためには、二つの直方体のブロックを形成しておき、夫々のブロックに平面２１ａと平面２１ｂを個別に形成した後、これらのブロックをボルト等によって結合することが好ましい。また縫合糸の太みによっては必ずしも交点２１ｃの直角度を厳密に形成することが必要ないこともあり、このような場合にはエンドミルやフライスカッター等の工具を利用して切削加工したり、放電加工によって形成しても良い。【００３１】
上記ブロック２１はクッション部材２２を介してＸ−Ｙテーブル１０に取り付けられている。クッション部材２２は適度な弾性を持った材料（例えばウレタンフォームを含む合成樹脂やゴム等）によって構成されており、ブロック２１に外力が作用したとき、この外力に応じて変形して該外力を吸収し得るように構成されている。【００３２】
ブロック２１の上方所定位置には当接面２１ｄが形成されており、この当接面２１ｄに押圧部材２３が接触し得るように構成されている。押圧部材２３はかしめ型Ｂの移動型２のかしめ動作と同期して該移動型２と同じ方向に移動し得るように構成されており、この移動に伴って糸ガイドＣを構成するブロック２１を矢印ａ方向に移動させることが可能である。【００３３】
押圧部材２３は、移動型２によるかしめ動作、即ち、レバー１３のかしめ動作時の動きと同期してブロック２１を矢印ａ方向に移動させるような機能を有していれば良く、移動型２と一体的に構成されるか否かを問うものではない。また押圧部材２３の矢印ａ方向への移動量は移動型２の移動量と同じである必要もなく、移動型２の移動量の半分であっても良い。【００３４】
かしめ動作に伴うブロック２１の矢印ａ方向への移動量は、ブロック２１の配置の仕方により変化する。即ち、図２に示すように、ブロック２１の各平面２１ａ、２１ｂが共に移動型２の移動方向に対し交叉するように配置されている場合、かしめ時に於ける移動型２の移動量と同じ寸法移動したとき、第１平面２１ａは縫合糸から離隔するものの、第２平面２１ｂが縫合糸に接触して剪断力を作用させる。このため、本実施例ではブロック２１を移動型２の移動量の１／２の寸法だけ矢印ａ方向に移動させるように構成されている。【００３５】
またブロック２１の第１平面２１ａを矢印ａ方向に対し直交方向に配置すると共に第２平面２１ｂを矢印ａ方向と平行に配置した場合、移動側２によるかしめを実行したとき、第２平面２１ｂが縫合糸に接触することがないので、ブロック２１の矢印ａ方向への移動量は移動型２の移動量の１／２以上の寸法であれば良い。【００３６】
このように、かしめ動作に伴うブロック２１の移動量は各平面２１ａ、２１ｂの移動型２の移動方向に対する角度によって設定されることになる。このため、糸ガイドＣを構成するブロック２１の姿勢はかしめ装置の型による作業し易さ等を考慮して設計することが好ましい。【００３７】
尚、ブロック２１の配置姿勢は図２にのみ限定するものではなく、移動型２の移動方向を中心として線対称であっても良い。【００３８】
このため、フレーム１１にスタンド（図示せず）を立ち上げておき、このスタンドに押圧部材２３を移動可能に配置すると共に、レバー１３との間にギヤ等を介在させて接続しておき、レバー１３のかしめ動作時の動きと同期させてブロック２１を矢印ａ方向に移動させるように構成することも可能である。【００３９】
本実施例では、最も簡単な構造として押圧部材２３を移動型２に抱き合わせて一体化して構成している。【００４０】
上記の如く構成されたかしめ装置Ａでは、固定型１と移動型２の間にアイレス針を挟んで保持した状態で、ブロック２１の各平面２１ａ、２１ｂに沿って縫合糸を移動させることで、アイレス針に形成した止まり穴に挿入することが可能である。そして、この状態でレバー１３を駆動して移動型２を固定型１に接近させることで、移動型２の接近に伴ってアイレス針の元端部をかしめると共に、押圧部材２３によってブロック２１を矢印ａ方向に移動させることが可能である。【００４１】
アイレス針に対するかしめ動作と同時に糸ガイドＣを構成するブロック２１を矢印ａ方向に移動させることで、ブロック２１は移動型２の移動方向と同じ方向に移動することとなり、アイレス針の元端面に形成された止まり穴が縮小され、止まり穴に縫合糸が結合している場合に、各平面２１ａ、２１ｂはこの縫合糸に対し曲げを生じさせることがなく、従って、縫合糸に剪断力を作用させることがない。【００４２】
アイレス針に対するかしめ動作が終了してレバー１３に対する駆動が停止し、更に、アイレス針をかしめ型Ｂから離脱させるために移動型２を固定型１から離隔させると、この動きに伴って押圧部材２３がブロック２１の当接面２１ｄから離隔する。このため、ブロック２１にはクッション部材２２の弾性が作用し、元の位置、即ち、固定型１と接近した初期位置に復帰する。【００４３】
尚、本実施例では、糸ガイドＣを構成するブロック２１を移動型２のかしめ動作と同期して矢印ａ方向に移動し得るように構成したが、この構成に限定するものではなく、かしめ動作と同期してブロック２１を回動させるように構成することも可能である。この場合、押圧部材２３の矢印ａ方向への移動に伴って、第１平面２１ａが同じ方向である矢印ａ方向に逃げるように回動すれば良い。【００４４】
また本実施例では、糸ガイドＣを構成するブロック２１の第１平面２１ａを水平方向に、第２平面２１ｂを垂直方向に配置したが、この配置方向に限定するものではなく、第１平面を移動型２の移動方向に対し垂直方向に、第２平面を移動型２の移動方向と平行な方向に配置しても良く、これ以外の方向であっても、押圧部材２３によって押圧されて移動したときに縫合糸に折れ曲がりを生じさせることのない方向に配置されていれば良い。
【実施例３】
【００４５】
図４はアイレス針に対するかしめ時に該アイレス針に結合された縫合糸に外力が作用することがないように、糸ガイドＣを配置した構成を説明する図である。【００４６】
図に示すように、糸ガイドＣを構成するブロック２１は、第１平面２１ａが移動型２の移動方向である矢印ｂ方向と平行な方向に配置され、第２平面２１ｂが矢印ｂ方向に対し垂直方向に且つ移動型２のかしめ時の移動方向の第１平面２１ａより上流側に配置されている。【００４７】
本実施例では、固定型１と移動型２の間にアイレス針を挟んで保持した状態で、ブロック２１の各平面２１ａ、２１ｂに沿って縫合糸を移動させることで、アイレス針に形成した止まり穴に挿入することが可能である。そして、この状態でレバー１３を駆動して移動型２を固定型１に接近させることで、移動型２の接近に伴ってアイレス針の元端部をかしめたとき、このかしめ動作に伴ってアイレス針の元端面に形成された止まり穴は固定型１の方向（矢印ｂ方向）に縮小されることとなる。【００４８】
従って、アイレス針に対するかしめ動作に伴って縫合糸は、ブロック２１の第１平面２１ａに沿って、第２平面２１ｂから離隔する方向（矢印ｂ方向）に移動することとなり、この縫合糸に折れ曲がりが生じることがなく、且つ剪断力が作用することがない。【００４９】
尚、糸ガイドＣを構成するブロック２１の姿勢は図４にのみ限定するものではなく、移動型２の移動方向を中心として線対称となる姿勢であっても良い。この場合であっても、アイレス針に対するかしめ動作に伴って、縫合糸はブロック２１の第１平面２１ａに沿って、第２平面２１ｂから離隔する方向（矢印ｂ方向）に移動することとなり、この縫合糸に折れ曲がりが生じることがなく、且つ剪断力が作用することがない。【００５０】
上記各実施例に於いて、糸ガイドＣを構成するブロック２１は、各平面２１ａ、２１ｂの表面が平滑に形成されたものであればよく、金属、樹脂等や、表面を他の材質で被覆したもの等が使用可能であり、特に材質等を限定するものではない。
【産業上の利用可能性】
【００５１】
本発明のかしめ装置は、アイレス針に縫合糸を結合する際に、縫合糸に剪断力を作用させることがない。このため、縫合糸を結合させた医療用縫合針の品質を安定させることが可能となり有利である。
【図１】
2008105374.tif 000003
【図２】
2008105374.tif 000004
【図３】
2008105374.tif 000005
【図４】
2008105374.tif 000006
【図５】
2008105374.tif 000007
【国際調査報告】
2008105374.tif 000008
2008105374.tif 000009
2008105374.tif 000010
2008105374.tif 000011